(57)【要約】  試薬の準備／廃棄リストなどの試薬リストを紙に印刷しなくても、印刷した場合と同様に、試薬の準備／廃棄作業を違和感無く円滑に進めることができる自動分析装置を提供する。試料と試薬とを用いて分析を行う自動分析装置において、試薬容器の試薬残量又は試薬有効期限に関する試薬情報を記憶する記憶部と、記憶部に記憶された試薬情報に基づき、試薬容器の設置位置毎にオペレータに注意喚起を促す注意喚起情報を付した試薬リストを表示する表示部と、を備え、試薬管理部は、試薬リストが表示された状態でオペレータが選択した試薬容器であることを視覚的に識別できるよう前記試薬リストの表示を更新する。
2018051672.tif 000002
【特許請求の範囲】
【請求項１】
複数の試薬容器を設置する試薬容器設置部と、
前記試薬容器設置部に設置された試薬容器から試薬を吸引する試薬分注機構と、
前記試薬容器設置部に設置された試薬容器の試薬に関する情報の管理を行う試薬管理部と、
前記試薬容器設置部に設置された試薬容器の試薬残量又は試薬有効期限に関する試薬情報を記憶する記憶部と、
前記記憶部に記憶された前記試薬情報に基づき、試薬容器の設置位置毎にオペレータに注意喚起を促す注意喚起情報を付した試薬リストを表示する表示部と、を備え、
前記試薬管理部は、前記試薬リストが表示された状態でオペレータが選択した試薬容器であることを視覚的に識別できるよう前記試薬リストの表示を更新することを特徴とする自動分析装置。
【請求項２】
請求項１記載の自動分析装置において、
前記表示部は、タッチパネル式の表示部であって、
前記試薬管理部は、前記表示部に表示された前記試薬リストをオペレータがタップしたときに、オペレータが選択した試薬容器と判定し、当該試薬容器を視覚的に識別できるよう前記試薬リストの表示を更新することを特徴とする自動分析装置。
【請求項３】
請求項２記載の自動分析装置において、
前記試薬リストには試薬容器の設置位置毎に印ボタンが含まれ、
前記試薬管理部は、オペレータによる印ボタンのタップを検知することにより印有りの印ボタンと印無しの印ボタンの表示を切り替え、
前記印有りのボタンと前記印無しのボタンの表示の切り替えにより、オペレータが選択した試薬容器であることを視覚的に識別可能であることを特徴とする自動分析装置。
【請求項４】
請求項２記載の自動分析装置において、
前記タッチパネル式の表示部は、タブレット端末であることを特徴とする自動分析装置。
【請求項５】
請求項１記載の自動分析装置において、
前記表示部は、試薬容器に付されたバーコードを読取り可能なバーコード読取りカメラを備えたタブレット端末であって、
前記タブレット端末に含まれる端末試薬管理部は、前記バーコード読取りカメラで読み取った試薬容器に付されたバーコード情報に基づき、オペレータが選択した試薬容器と判定し、当該判定結果に基づき、オペレータが選択した試薬容器であることを視覚的に識別できるよう前記試薬リストの表示を更新することを特徴とする自動分析装置。
【請求項６】
請求項１記載の自動分析装置において、
前記試薬情報は、前記試薬残量に関する情報であって、
前記試薬リストは、前記記憶部に記憶された前記試薬残量に関する情報に基づき、所定閾値以下の試薬残量の試薬容器の一覧を示す試薬準備リストであって、
前記注意喚起情報は前記試薬残量の程度に応じて注意喚起レベルを示す情報であることを特徴とする自動分析装置。
【請求項７】
請求項６記載の自動分析装置において、
前記試薬管理部は、前記試薬分注機構を制御し、
前記試薬管理部は、オペレータの指示に基づき、前記試薬容器設置部に設置された試薬容器に対し、前記試薬分注機構を用い自動で残量確認動作を実施し、
前記試薬管理部は、オペレータが選択した試薬容器に対し、当該試薬容器に対応する分析項目と同一種類の試薬について試薬残量が前記所定閾値以下かを判定し、判定結果を前記試薬準備リストに表示することを特徴とする自動分析装置。
【請求項８】
請求項６記載の自動分析装置を複数備えた自動分析システムにおいて、
前記表示部は夫々の自動分析装置とローカルネットワークで接続されたタブレット端末であって、
前記タブレット端末は、夫々の自動分析装置に対応する前記試薬準備リストを表示することを特徴とする自動分析システム。
【請求項９】
請求項８記載の自動分析システムにおいて、
複数の自動分析装置のうちのいずれかの自動分析装置は複数の分析モジュールを含み、
前記タブレット端末は、前記試薬準備リストの表示単位を、分析モジュール単位、自動分析装置単位、自動分析システム単位で切り替えられることを特徴とする自動分析システム。
【請求項１０】
請求項８記載の自動分析システムにおいて、
前記タブレット端末は、複数の自動分析装置の試薬容器設置部に設置された同一種類の試薬においては合計の試薬残量を前記試薬準備リストに表示し、前記注意喚起情報は前記合計の試薬残量の程度に応じて注意喚起レベルを示す情報であることを特徴とする自動分析システム。
【請求項１１】
請求項１０記載の自動分析システムにおいて、
前記記憶部は、前記注意喚起レベルを示すための前記合計の試薬残量に閾値を記憶し、
前記タブレット端末は、当該閾値に基づき、前記注意喚起レベルを前記試薬準備リストに示し、
前記注意喚起レベルの同一の注意喚起レベルに対し曜日毎に当該閾値が設定できることを特徴とする自動分析システム。
【請求項１２】
請求項１記載の自動分析装置において、
前記試薬情報は、試薬残量および試薬有効期限に関する情報であって、
前記試薬リストは、前記記憶部に記憶された前記試薬残量と前記試薬有効期限に関する情報に基づき、試薬残量がゼロと有効期限が切れた試薬の試薬容器の一覧を示す試薬廃棄リストであって、
前記注意喚起情報は、試薬残量がゼロであるか、試薬の有効期限切れを示すいずれかの情報であることを特徴とする自動分析装置。
【請求項１３】
請求項１２記載の自動分析装置において、
前記試薬管理部は、オペレータの指示に基づきオペレータが選択した試薬容器が前記試薬容器設置部から取り出されたか否かを判定し、判定結果を前記試薬廃棄リストに表示することを特徴とする自動分析装置。
【請求項１４】
請求項１３記載の自動分析装置を複数備えた自動分析システムにおいて、
前記表示部は夫々の自動分析装置とローカルネットワークで接続されたタブレット端末であって、
前記タブレット端末は、夫々の自動分析装置に対応する前記試薬廃棄リストを表示することを特徴とする自動分析システム。
【請求項１５】
請求項１４記載の自動分析システムにおいて、
複数の自動分析装置のうちのいずれかの自動分析装置は複数の分析モジュールを含み、
前記タブレット端末は、前記試薬廃棄リストの表示単位を、分析モジュール単位、自動分析装置単位、自動分析システム単位で切り替えられることを特徴とする自動分析システム。
【請求項１６】
複数の試薬容器を設置する試薬容器設置部と、
前記試薬容器設置部に設置された試薬容器から試薬を吸引する試薬分注機構と、
前記試薬容器設置部に設置された試薬容器の試薬に関する情報の管理を行う試薬管理部と、
前記試薬容器設置部に設置された試薬容器の試薬残量又は試薬有効期限に関する試薬情報を記憶する記憶部と、を備えた自動分析装置の試薬リストの表示方法において、
前記記憶部に記憶された前記試薬情報に基づき、試薬容器の設置位置毎にオペレータに注意喚起を促す注意喚起情報を付した試薬リストを表示する表示部であって、当該表示部を介して、オペレータからの試薬容器の選択を受け付ける工程と、
前記表示部は、前記試薬リストが表示された状態でオペレータが選択した試薬容器であることを視覚的に識別できるよう前記試薬リストの表示を更新する工程と、
を有することを特徴とする表示方法。
【請求項１７】
請求項１６記載の表示方法において、
前記表示部は、タッチパネル式のタブレット端末であって、オペレータのタップにより試薬容器の選択を受け付け、前記タブレット端末は、タップされた試薬容器であることを視覚的に識別できるよう前記試薬リスト上に印を付けて表示することを特徴とする表示方法。
【発明の詳細な説明】
【技術分野】
【０００１】
本発明は、血液や尿などの生体試料の定性・定量分析を行う自動分析装置に関する。
【背景技術】
【０００２】
血液や尿等の生体試料（以下、単に試料と称する）と試薬とを用いることによって試料に含まれる特定成分の定量・定性分析を行う自動分析装置では、通常、試料を測定する前の一連の準備操作の中で、その日に使用する試薬の残量を確認し、残量が足りない場合は、試薬を継ぎ足したり、新たな試薬容器を追加する等の準備を行う。また、使い切った試薬容器の廃棄も行う。【０００３】
この試薬の準備操作や廃棄操作を簡便にするために、通常、自動分析装置には分析項目毎に試薬の残量の閾値を設定する機能があり、残量がこの閾値を下回っている試薬のみを試薬準備リストあるいは試薬廃棄リストとして画面や紙に出力する機能を有している。【０００４】
試薬の残量が予め設定した閾値を下回った場合にオペレータに対して画面等で警告を発する技術に関しては、特許文献１（特開２０１５−１６３８９６号公報）等でその技術が開示されている。
【先行技術文献】
【特許文献】
【０００５】
【特許文献１】特開２０１５−１６３８９６号公報
【発明の概要】
【発明が解決しようとする課題】
【０００６】
例えば、大形の自動分析装置において、残量が少なくなった試薬の準備や、残量が無くなった試薬の廃棄を行う場合、操作部と試薬容器を設置する分析部とが離れていることにより、操作画面を確認しながらの試薬の準備／廃棄が難しい場合がある。この場合、試薬の準備／廃棄リストを紙に印刷し、それを見ながら作業を行うことが多いが、印刷の手間がかかると共に紙代・インク代の費用も発生する。但し、紙に印刷することによって、実際に準備／廃棄を行う試薬のところに鉛筆等でチェックマークを付けながら作業できるという長所もあり、長年、本運用が用いられている。【０００７】
本発明は上記に鑑みてなされたものであり、試薬の準備／廃棄リストを紙に印刷しなくても、印刷した場合と同様に、試薬の準備／廃棄作業を違和感無く円滑に進めることができる自動分析装置を提供することを目的とする。
【課題を解決するための手段】
【０００８】
本願の代表的な解決手段は以下のとおりである。複数の試薬容器を設置する試薬容器設置部と、前記試薬容器設置部に設置された試薬容器から試薬を吸引する試薬分注機構と、前記試薬容器設置部に設置された試薬容器の試薬に関する情報の管理を行う試薬管理部と、前記試薬容器設置部に設置された試薬容器の試薬残量又は試薬有効期限に関する試薬情報を記憶する記憶部と、前記記憶部に記憶された前記試薬情報に基づき、試薬容器の設置位置毎にオペレータに注意喚起を促す注意喚起情報を付した試薬リストを表示する表示部と、を備え、前記試薬管理部は、前記試薬リストが表示された状態でオペレータが選択した試薬容器であることを視覚的に識別できるよう前記試薬リストの表示を更新する自動分析装置である。【０００９】
また、他の代表的な解決手段は以下のとおりである。複数の試薬容器を設置する試薬容器設置部と、前記試薬容器設置部に設置された試薬容器から試薬を吸引する試薬分注機構と、前記試薬容器設置部に設置された試薬容器の試薬に関する情報の管理を行う試薬管理部と、前記試薬容器設置部に設置された試薬容器の試薬残量又は試薬有効期限に関する試薬情報を記憶する記憶部と、を備えた自動分析装置の試薬リストの表示方法において、前記記憶部に記憶された前記試薬情報に基づき、試薬容器の設置位置毎にオペレータに注意喚起を促す注意喚起情報を付した試薬リストを表示する表示部であって、当該表示部を介して、オペレータからの試薬容器の選択を受け付ける工程と、前記表示部は、前記試薬リストが表示された状態でオペレータが選択した試薬容器であることを視覚的に識別できるよう前記試薬リストの表示を更新する工程と、を有することを特徴とする表示方法。
【発明の効果】
【００１０】
本発明によれば、試薬の準備／廃棄リストを紙に印刷しなくても、印刷した場合と同様に、試薬の準備／廃棄作業を違和感無く円滑に進めることができる。これにより、試薬の準備／廃棄リストの印刷の手間を省くことができると共に紙代・インク代を節約できる。
【図面の簡単な説明】
【００１１】
【図１】本発明の一実施の形態に係る自動分析装置の全体構成を概略的に示す図である。
【図２】操作部ＰＣとタブレット端末の機能ブロック図である。
【図３】タブレット端末の試薬準備リスト画面（整合性チェック前、印がチェックマークの例）である。
【図４】タブレット端末の試薬準備リスト画面（整合性チェック前、印がＯＫの例）である。
【図５】タブレット端末の試薬廃棄リスト画面（整合性チェック前、印がチェックマークの例）である。
【図６】自動分析装置とタブレット端末間のイベント毎の情報のやりとりを示すシーケンス図である。
【図７】自動分析装置における試薬残量登録イベント時の試薬準備の整合性チェック処理の内容を示すフローチャートである。
【図８】自動分析装置における試薬残量登録イベント時の試薬廃棄の整合性チェック処理の内容を示すフローチャートである。
【図９】タブレット端末の試薬準備リスト画面（整合性チェック後、印がチェックマークの例）である。
【図１０】タブレット端末の試薬準備リスト画面（整合性チェック後、印がＮＧの例）である。
【図１１】タブレット端末の試薬廃棄リスト画面（整合性チェック後、印がチェックマークの例）である。
【図１２】タブレット端末のバーコード読取りカメラ画面である。
【図１３】試薬バーコード読取りの際に該当試薬が複数あった場合に表示されるタブレット端末の試薬選択画面である。
【図１４】試薬バーコード読取りの際に該当試薬が無かった場合に表示されるタブレット端末の注意画面である。
【発明を実施するための形態】
【００１２】
以下に、本発明の実施例を図面を参照しつつ説明する。
【００１３】
図１は、本実施の形態に係る自動分析装置の全体構成を概略的に示す図である。
【００１４】
図１において、自動分析装置１００は、試料投入部１０４、分析部１０６ａ，１０６ｂ，１０６ｃ、試料収納部１０９、搬送ライン１０５、操作部ＰＣ１１１、及びタブレット端末１１４などから概略構成されている。
【００１５】
分析対象である試料が収容された試料容器１０２を複数登載する試料ラック１０３が投入される試料投入部１０４と試料ラック１０３を収納する試料収納部１０９とは試料ラック１０３を搬送する搬送ライン１０５によって接続されており、搬送ライン１０５に沿って１つ以上（本実施の形態では３つの場合を例示する）の分析部１０６ａ，１０６ｂ，１０６ｃが配置されている。
【００１６】
操作部ＰＣ１１１は、自動分析装置１００全体の動作を制御するものであり、通信機器１１０（例えばハブ）を介して自動分析装置１００の各構成と接続されている。また、操作部ＰＣ１１１には、無線機器１１３（例えば無線ルータ）が接続されており、無線通信によってタブレット端末１１４と通信可能に無線接続されている。また、操作部ＰＣ１１１は、自動分析装置１００を含む分析システム全体の動作を制御する上位ホストシステム１１２にも接続されている。
【００１７】
試料投入部１０４には、分析対象である試料が収容された試料容器１０２が複数配置された試料ラック１０３が投入され、搬送ライン１０５を介して各分析部１０６ａ，１０６ｂ，１０６ｃや試料収納部１０９などに搬送される。試料容器１０２に収容される試料としては、キャリブレーション測定に用いるキャリブレーション試料、精度管理測定に用いる精度管理試料、血液や尿等の生体試料である患者試料などがある。試料ラック１０３に搭載される各試料容器１０２には収容される試料を識別するためのタグ１０２ａ（例えば、バーコードやＲＦＩＤなど）が設けられており、図示しない読取装置によって識別情報が読み取られ、操作部ＰＣ１１１などに送られる。
【００１８】
分析部１０６ａは、複数の反応容器を有する反応ディスク１２０ａ、搬送ライン１０５により搬送される試料容器１０２に収容された試料を反応容器に分注する試料分注機構１２１ａ、試料の分析に用いる試薬を収容した複数の試薬容器１０７を設置する試薬ディスク１０８ａ（試薬容器搭載部）、試薬ディスクに設置された試薬容器１０７の試薬を吸引し反応容器に分注する試薬分注機構１２２ａ、及び反応容器に収容された試料と試薬の混合液（反応液）の吸光度や散乱光強度などを測定する測光機構１２３ａなどから構成されている。分析部１０６ａは、測光機構１２３ａから得られた光学情報を解析することで試料内の所定物質の含有濃度などを分析することができる。分析部１０６ｂ，１０６ｃも分析部１０６ａと同様の構成を有しており、それぞれ、反応ディスク１２０ｂ，１２０ｃ、試料分注機構１２１ｂ，１２１ｃ、試薬ディスク１０８ｂ，１０８ｃ、試薬分注機構１２２ｂ，１２２ｃ、測光機構１２３ｂ、１２３ｃなどから構成されている。
【００１９】
タブレット端末１０４は、無線機器１１３を介して操作部ＰＣ１１１と通信可能に接続されていて、オペレータ１０１は、タブレット端末１０４の画面から自動分析装置１００の各情報を見ることができる。
【００２０】
図２は、操作部ＰＣとタブレット端末の機能ブロック図である。
【００２１】
図２においては、操作部ＰＣ１１１とタブレット端末１１４とが無線機器１１３を介した通信２０３により情報の授受を行っている場合を示している。
【００２２】
図２において、操作部ＰＣ１１１は、入力部２０１、表示部２０２、試薬管理部２０４、対端末通信部２０５、記憶部２０６、及び対分析部通信部２０７などにより構成されており、自動分析装置１００の他の構成の分析部２００（分析部１０６ａ，１０６ｂ，１０６ｃ、など）との通信を行っている。
【００２３】
入力部２０１は、例えば、キーボードやマウスなどであり、表示部２０２に表示される各種操作画面のボタン表示のマウスカーソルによる押し下げ（マウスのクリック）、入力枠へのキーボードからの数字や文字の入力などを行う。すなわち、入力部２０１と表示部２０２とは、ＧＵＩ（Graphical User Interface）を構成している。
【００２４】
試薬管理部２０４は、分析部２００の試薬ディスク１０８ａ，１０８ｂ，１０８ｃに設置された試薬容器１０７などの試薬に関する情報の管理を行う。具体的には、分析項目との紐付け、残量管理、１つの分析項目に対して複数の試薬容器１０７が設置された場合の使用優先順の管理、及び試薬有効期限の管理などを行う。新たに試薬容器１０７が設置された場合には、記憶部２０６に記憶されている累積試薬情報を検索して過去に同じ試薬容器が設置されていたかを判定し、設置されていた場合には記憶部２０６に記憶されている試薬情報を取り出し、設置されていなかった場合には新規の試薬容器１０７として管理する。また、残量管理においては、入力部２０１を通して設定された分析項目毎の残量の閾値を下回った試薬について、試薬準備リストあるいは試薬廃棄リストに登録するといった処理も行う。また、試薬管理部２０４は、表示部２０２の表示に関する制御なども行うことができる。
【００２５】
対端末通信部２０５は、タブレット端末１１４との無線通信の制御、タブレット端末１１４に送信する通信テキストの作成、及びタブレット端末１１４から受信した通信テキストの情報の分配を行う。
【００２６】
記憶部２０６は、試薬管理部２０４での管理に必要な情報を記憶し、試薬ディスク１０８ａに設置された試薬容器の試薬残量又は試薬有効期限に関する試薬情報を記憶する。
【００２７】
対分析部通信部２０７は、分析部２００との通信の制御、分析部２００に送信する通信テキストの作成、及び分析部２００から受信した通信テキストの情報の分配を行う。
【００２８】
また、図２において、タブレット端末１１４は、端末表示部２０８、端末通信部２０９、端末試薬管理部２１０、及び端末入力部２１１などにより構成されており、無線機器１１３を介して操作部ＰＣ１１１と通信することにより、自動分析装置１００のから様々な情報を取得したり、自動分析装置１００の操作を行ったりすることが可能である。
【００２９】
タブレット端末１１４には、操作部ＰＣ１１１と同様に、端末表示部２０８と端末入力部２１１とによってＧＵＩが構成されており、操作部ＰＣ１１１から送信された種々な情報（試薬の準備／廃棄リストの情報を含む）を受信して端末表示部２０８に表示したり、端末入力部２１１によって自動分析装置１００への操作指示などを入力し、操作部ＰＣ１１１へ送信したりする。
【００３０】
端末通信部２０９は、操作部ＰＣ１１１との無線通信の制御、操作部ＰＣ１１１に送信する通信テキストの作成、及び操作部ＰＣ１１１から受信した通信テキストの情報の分配を行う。
【００３１】
端末試薬管理部２１０は、操作部ＰＣ１１１から受信した試薬に関する情報（試薬の準備／廃棄リストの情報を含む）の管理、及び端末入力部２１１から入力された印の情報の処理などを行う。１台のタブレット端末１１４で複数の自動分析装置１００の操作部ＰＣ１１１と無線接続される構成となった場合には、複数の自動分析装置１００の試薬情報のトータル管理も行う。
【００３２】
図３は、タブレット端末の試薬準備リスト画面であり、印の表示がチェックマークの例の画面である。
【００３３】
試薬準備リストとはオペレータが試薬を準備するためのリストを指し、オペレータがどの試薬が不足しているかを容易に把握し、どの試薬を新たに設置すべきかを判断するためのリストである。記憶部２０６には、試薬ディスク（１０８ａなど）に設置された試薬容器の全ての試薬残量情報が記憶されているが、試薬準備リストでは、このなかから特に試薬が不足している試薬容器を選別してリスト化している。つまり、試薬準備リストは、記憶部に記憶された試薬残量に基づき所定閾値以下の試薬残量の試薬容器の一覧を示すリストである。
【００３４】
なお、試薬残量情報の入手については試薬分注機構に含まれるノズルを下降動作させ、液面に到達したときの静電容量変化により液面を検知し試薬残量を特定する技術、ノズルを所定量下降させノズルで試薬を吸引して試薬分注機構に含まれる圧力センサで検知した圧力値により液面に到達しているかを判定し、液面高さから試薬残量を特定する技術などを適用することができる。
【００３５】
図３に示すタブレット端末の試薬準備リスト画面３０１には、基本的に、操作部ＰＣ１１１の表示部２０２に表示する試薬準備リスト情報や、操作部ＰＣ１１１に接続された印刷機から紙に印刷した試薬準備リスト情報と同一の情報を表示し、モジュール名称３０４、分析項目名称３０５、試薬容器設置ポジション３０６、試薬の残量情報（残テスト数もしくは残量）３０７、残量がどれくらい閾値を下回っているかのレベル３０８などの情報を表示する。なお、試薬残量と言うときには残量のみならず残テスト数も含まれる。
【００３６】
これらの情報は、例えば、試薬容器に付されたバーコード又はＲＦＩＤを試薬ディスク内の読取り装置（バーコードリーダ又はＲＦＩＤ読取り装置）で読み取ることにより、どのモジュールのどの試薬ディスクのどのポジションにどの項目の試薬が設置されているのかを事前に記憶部が記憶しているため容易にリスト化することができる。また、試薬の残量情報については、元々あった残量情報を基準に分析回数や１回の分析で使用する試薬量などを考慮して減算することで毎回試薬残量を測定することなく記憶部の情報を更新することで容易にリスト化することができる。なお、このリスト化は試薬管理部２０４、端末試薬管理部２１０のいずれでも行うことができる。
【００３７】
レベル３０８に関して、図３の例では、閾値の設定を２段階設け、第一段階の閾値を下回っている試薬容器１０７には「準備」を、第一段階より残量が少ない第二段階の閾値を下回っている試薬容器１０７には「注意」を、残量が０になった試薬容器１０７には「警告」を表示している。このレベル３０８は、オペレータに注意喚起を促す注意喚起情報に相当し、試薬準備リスト内に、記憶部に記憶された試薬残量に基づき、試薬容器の設置位置毎に表示される。なお、試薬管理部２０４又は端末試薬管理部２１０は、試薬残量と上記閾値とを比較することでどのレベルに該当するかを判定している。また上記閾値は記憶部に記憶されている。なお、上記のように、注意喚起情報は、「準備」、「注意」、「警告」のように試薬残量の程度に応じて複数の注意喚起レベルを示す情報であることが望ましい。注意喚起レベルを示す情報は準備すべき試薬容器のなかでも優先度の判断に役立つためである。
【００３８】
タブレット端末はタッチパネル式の表示部であり、印ボタン３０９は、画面上をタップすることにより、印の有無が切り替わるようになっている。図３は、印の表示がチェックマークの例であり、印無しの印ボタン３１０をタップすると印有りの印ボタン３１１に表示が変わる。同様に、印有りの印ボタン３１１をタップすると印無しの印ボタン３１０に表示が変わる。この印ボタン３０９の表示切り替え機能を使用することにより、紙に印字した試薬準備リストに鉛筆等でチェックマークを付けるのと同じ操作が実現でき、試薬容器１０７の準備作業を円滑に進めることが可能となる。
【００３９】
更新ボタン３０２を押すと、試薬準備リスト画面３０１に表示しているモジュール表示部３０４から印ボタン表示部３０９までの情報が最新の情報に更新される。
【００４０】
更新日時表示部３０３には、試薬準備リスト画面３０１に表示しているモジュール表示部３０４から印ボタン表示部３０９までの情報がいつの時点の情報かを分単位まで表示する。
【００４１】
このように、端末試薬管理部２１０は、試薬準備リストが表示された状態でオペレータが選択した試薬容器であることを視覚的に識別できるよう試薬リストの表示を変更することができる。また、オペレータがタップすることで試薬準備リストの表示が更新される。
【００４２】
図４は、タブレット端末の試薬準備リスト画面であり、印の表示が「ＯＫ」の例の画面である。
【００４３】
図４のタブレット端末の試薬準備リスト画面４０１と図３の試薬準備リスト画面３０１との違いは、印有りの印ボタン４１１であり、こちらは印ボタンがチェックマークではなく「ＯＫ」表示となっている。印無しの印ボタン４１０をタップすると印有りの印ボタン４１１に表示が変わる。同様に、印有りの印ボタン４１１をタップすると印無しの印ボタン４１０に表示が変わる。
【００４４】
その他の符号４０２〜４０８は図３の符号３０２〜３０８と同じである。
【００４５】
つまり、図３の印有りの印ボタンに限らず「ＯＫ」表示であってもよく、オペレータが視覚的に識別できる方法であればその手段は問わない。例えば、図３、４に示すようなボックス表示が無くとも、タップした位置の色を変更したり太字に変えたりすることで視覚的に識別できる方法であっても良い。端末試薬管理部２１０は、オペレータがタップしたときに、オペレータが選択した試薬容器と判定し、当該試薬容器を視覚的に識別できるよう試薬準備リストの表示を更新できれば良い。但し、図３、４に示すように、試薬準備リストには試薬容器の設置位置毎に印ボタンが含まれ、端末試薬管理部２１０は、オペレータによる印ボタンのタップを検知することにより印有りの印ボタンと印無しの印ボタンの表示を切り替え、この切り替えにより視覚的に識別できるようにすることが視認性の面から有効である。
【００４６】
なお、タブレット端末においてタッチパネル式以外でも物理的なボタンを介在させることで同様のことを実現でき、必ずしも本発明において物理的ボタンを用いることを排除するものではないが利便性の面からタッチパネル式での選択であることが望ましい。
【００４７】
図５は、タブレット端末の試薬廃棄リスト画面であり、印の表示がチェックマークの例の画面である。
【００４８】
試薬廃棄リストとはオペレータが試薬を廃棄するためのリストを指し、オペレータがどの位置にある試薬容器を試薬ディスクから取り出すべきかを容易に把握するためのリストである。記憶部２０６には、記憶部２０６には、試薬ディスク（１０８ａなど）に設置された試薬容器の全ての試薬残量および有効期限に関する情報が記憶されているが、試薬廃棄リストでは、このなかから特に試薬の残量がゼロおよび試薬有効期限切れの試薬容器を選別してリスト化している。これらの試薬容器は試薬ディスクの空きポジションの確保の観点から取り出されるべきものである。つまり、試薬廃棄リストは、記憶部に記憶された試薬残量と試薬有効期限に関する情報に基づき、試薬残量がゼロと有効期限が切れた試薬の試薬容器の一覧を示すリストである。
【００４９】
図５に示すタブレット端末の試薬廃棄リスト画面５０１には、基本的に、操作部ＰＣ１１１の表示部２０２に表示する試薬廃棄リスト情報や、操作部ＰＣ１１１に接続された印刷機から紙に印刷した試薬廃棄リスト情報と同一の情報を表示し、モジュール名称５０４、分析項目名称５０５、試薬容器設置ポジション５０６、試薬の残量情報（残テスト数もしくは残量）５０７、廃棄要因（残量０や期限切れ等）５０８などの情報を表示する。
【００５０】
なお、オペレータに注意喚起を促す注意喚起情報として、廃棄要因を示しているが、試薬準備リストと異なり数値化できるものではないので、注意喚起情報としては、試薬残量がゼロ、試薬の有効期限切れなどの要因を示すことが望ましい。
【００５１】
印ボタン５０９は、画面上をタップすることにより、印の有無が切り替わるようになっている。図５は、印の表示がチェックマークの例であり、印無しの印ボタン５１０をタップすると印有りの印ボタン５１１に表示が変わる。同様に、印有りの印ボタン５１１をタップすると印無しの印ボタン５１０に表示が変わる。この印ボタン５０９の表示切り替え機能を使用することにより、紙に印字した試薬廃棄リストに鉛筆等でチェックマークを付けるのと同じ操作が実現でき、試薬容器１０７の廃棄作業を円滑に進めることが可能となる。
【００５２】
更新ボタン５０２を押すと、試薬廃棄リスト画面５０１に表示しているモジュール表示部５０４から印ボタン表示部５０９までの情報が最新の情報に更新される。
【００５３】
更新日時表示部５０３には、試薬廃棄リスト画面５０１に表示しているモジュール表示部５０４から印ボタン表示部５０９までの情報がいつの時点の情報かを分単位まで表示する。
【００５４】
なお、試薬準備リストでの説明は試薬廃棄リストにおいても同様であるが繰り返しになるため説明は省略する。
【００５５】
次に、本実施の形態の自動分析装置におけるタブレット端末の試薬準備リスト画面３０１，４０１および試薬廃棄画面５０１に表示する情報の流れについて説明する。
【００５６】
図６は、自動分析装置とタブレット端末間のイベント毎の情報のやりとりを示すシーケンス図である。
【００５７】
装置立上げイベント６０３発生時、自動分析装置６０１は試薬準備／廃棄リスト情報の作成６０４を行い、タブレット端末６０２に作成した試薬準備／廃棄リスト情報６０５を送信する。なお、情報の作成は試薬管理部２０４が行う。
【００５８】
試料の分析動作やその準備動作等で試薬を消費するイベント６０６が発生した場合も、自動分析装置６０１は試薬準備／廃棄リスト情報の作成６０７を行い、タブレット端末６０２に作成した試薬準備／廃棄リスト情報６０８を送信する。なお、情報の作成は試薬管理部２０４が行う。
【００５９】
タブレット端末６０２の試薬準備リスト画面３０１，４０１および試薬廃棄画面５０１の印ボタン３０９，４０９，５０９をタップすることにより発生する準備もしくは廃棄した試薬への印付けイベント６０９では、タブレット端末６０２が印付けされた試薬の情報の作成６１０を行い、自動分析装置６０１に印付けされた試薬の情報６１１を送信する。なお、情報の作成は端末試薬管理部２１０が行う。
【００６０】
情報の作成６１０までで図３〜５までで示した画面表示を行うことができ、この画面表示で試薬の準備や廃棄を円滑に進めることができる。続けて、さらに有益な機能について説明する。
【００６１】
次に試薬残量登録実施イベント６１２が発生した時の情報のやりとりを説明する。試薬残量登録とは、試薬ディスク１０８ａ，１０８ｂ，１０８ｃ内に設置された試薬容器１０７の試薬情報と残量情報を自動分析装置に登録する（操作部ＰＣ１１１の記憶部２０６に記憶する）動作を示す。試薬情報は、試薬容器１０７に設けられたバーコードやＲＦＩＤなどの読取りや、操作部ＰＣ１１１の入力部２０１から手入力された情報等により登録される。残量情報は、試薬分注機構１２２ａ，１２２ｂ，１２２ｃに備えられているノズルの液面検知機能により検知された試薬の液面高さの情報から算出したり、操作部ＰＣ１１１の入力部２０１から手入力された情報等により登録される。
【００６２】
試薬残量登録実施イベント６１２発生時、自動分析装置６０１は登録された試薬情報と残量情報とから試薬準備／廃棄リスト情報の作成６１３を行う。また、試薬準備／廃棄リスト情報の整合性チェックおよびチェック結果の作成６１４を行う。試薬準備／廃棄リスト情報の整合性チェックに関しては、本発明のこれまでの説明に無かった機能であるため、ここで説明する。本機能は、タブレット端末６０２から送信された印付けされた試薬の情報６１１と、試薬残量登録動作により登録された試薬情報と残量情報とから、タブレット端末６０２の試薬準備リスト画面３０１，４０１および試薬廃棄画面５０１で印を付けられた試薬が本当に準備／廃棄されたかをチェックする機能である。また、試薬準備リスト情報の整合性チェックでは、新規に設置された試薬容器１０７の残量が、既に操作部ＰＣ１１１の入力部２０１を通して設定された分析項目毎の残量の閾値を下回っている場合
も異常と判定する。試薬準備／廃棄リスト情報の整合性チェックの処理フローの詳細は、図７、図８の説明で後述する。
【００６３】
作成された試薬準備／廃棄リスト情報および試薬準備／廃棄リスト情報の整合性チェック結果情報６１５は、タブレット端末６０２に送信される。なお、チェック結果情報の作成は試薬管理部２０４が行う。
【００６４】
図７は、前述の、自動分析装置における試薬残量登録イベント時の試薬準備の整合性チェック処理の内容を示すフローチャートであり、１つの試薬容器１０７当たりの処理を示している。なお、このフローは試薬管理部２０４が行うものである。
【００６５】
試薬準備の整合性チェック処理が起動されると、最初に変数「整合性チェック結果」に「ＯＫ」を設定する（ステップＳ７０１）。次に、試薬残量登録動作により登録された当該試薬容器１０７の試薬残量が、操作部ＰＣ１１１の入力部２０１を通して設定された分析項目毎の残量の閾値を下回っているかを判定する（ステップＳ７０２）。判定結果が「ＮＯ」であれば、処理を終了する。判定結果が「ＹＥＳ」であれば、当該試薬容器１０７がタブレット端末６０２の試薬準備リスト画面３０１，４０１で印を付けられたものかどうかを判定する（ステップＳ７０３）。判定結果が「ＹＥＳ」であれば、変数「整合性チェック結果」に「ＮＧ」を設定し（ステップＳ７０５）、処理を終了する。判定結果が「ＮＯ」であれば、当該試薬容器１０７が自動分析装置６０１に新規に設置された試薬容器かどうかを判定する（ステップＳ７０４）。新規か否かの判定には、操作部ＰＣ１１１の記憶部２０６に記憶された試薬累積情報を使用する。判定結果が「ＮＯ」であれば、処理を終了する。判定結果が「ＹＥＳ」であれば、変数「整合性チェック結果」に「ＮＧ」を設定し（ステップＳ７０５）、処理を終了する。この試薬準備の整合性チェック処理の判定結果は、タブレット端末６０２に送信される。
【００６６】
図８は、前述の、自動分析装置における試薬残量登録イベント時の試薬廃棄の整合性チェック処理の内容を示すフローチャートであり、１つの試薬容器１０７当たりの処理を示している。
【００６７】
試薬廃棄の整合性チェック処理が起動されると、最初に変数「整合性チェック結果」に「ＯＫ」を設定する（ステップＳ８０１）。次に、当該試薬容器１０７がタブレット端末６０２の試薬廃棄リスト画面５０１で印を付けられたものかどうかを判定する（ステップＳ８０２）。判定結果が「ＮＯ」であれば、処理を終了する。判定結果が「ＹＥＳ」であれば、変数「整合性チェック結果」に「ＮＧ」を設定し（ステップＳ８０３）、処理を終了する。この試薬廃棄の整合性チェック処理の判定結果は、タブレット端末６０２に送信される。
【００６８】
図９は、試薬準備の整合性チェック後のタブレット端末の試薬準備リスト画面であり、印の表示がチェックマークの例の画面である。
【００６９】
印ボタン表示部９０９には、試薬準備の整合性チェック結果がＯＫの試薬容器１０７については、印無しの印ボタン９１０で表示され、整合性チェック結果がＮＧの試薬容器１０７については、印有りの印ボタン９１１で表示される。また、この印有りの印ボタン９１１と、印無しの印ボタン９１０をタップした際の印有りの印ボタン３１１は、視覚的に違いが分かるデザインとなっている（本実施例の場合、タップした際の印有りの印ボタン３１１は、チェックマークが黒色で背景が白色、整合性チェック結果がＮＧの印有りの印ボタン９１１は、チェックマークが白色で背景が黒色）。これにより、タブレット端末６０２の試薬準備リスト画面９０１上で試薬の準備漏れを視覚的に確認でき、試薬の準備漏れに気が付かないまま分析を開始するリスクを低減できる。
【００７０】
その他の符号９０２〜９０８は図３の符号３０２〜３０８と同じである。
【００７１】
図１０は、試薬準備の整合性チェック後のタブレット端末の試薬準備リスト画面であり、印の表示が「ＮＧ」の例の画面である。
【００７２】
図１０のタブレット端末の試薬準備リスト画面１００１と図９の試薬準備リスト画面９０１との違いは、印有りの印ボタン１０１１であり、こちらは「ＮＧ」表記となっている。
【００７３】
その他の符号１００２〜１００８は図９の符号９０２〜９０８と同じである。
【００７４】
このように、試薬残量登録を実施する場合には、試薬管理部２０４は、オペレータが選択した試薬容器に対し、当該試薬容器に対応する分析項目と同一種類の試薬について試薬残量が所定閾値以下かを判定し、判定結果を前記試薬準備リストに表示することができる。なお、この閾値はレベル３０８の閾値以外でも試薬残量登録前の残量を基準とする閾値などであっても良く自由に設定できるようにしても良い。また、試薬残量登録の実施にあたっては、手入力以外の実行においては、オペレータの指示を前提とするものであり、試薬管理部２０４は、この指示に基づき、試薬ディスクに設置された試薬容器に対し、試薬分注機構を用い自動で残量確認動作を実施させることができる。このように、試薬管理部２０４は、間接的に試薬分注機構を制御することもできる。
【００７５】
図１１は、試薬廃棄の整合性チェック後のタブレット端末の試薬廃棄リスト画面であり、印の表示がチェックマークの例の画面である。
【００７６】
印ボタン表示部１１０９には、試薬廃棄の整合性チェック結果がＯＫの試薬容器１０７については、印無しの印ボタン１１１０で表示され、整合性チェック結果がＮＧの試薬容器１０７については、印有りの印ボタン１１１１で表示される。また、この印有りの印ボタン１１１１と、印無しの印ボタン１１１０をタップした際の印有りの印ボタン５１１は、視覚的に違いが分かるデザインとなっている。これにより、タブレット端末６０２の試薬廃棄リスト画面１１０１上で試薬の廃棄漏れを視覚的に確認でき、試薬の廃棄漏れに気が付かないまま分析を開始するリスクを低減できる。
【００７７】
オペレータの指示を前提とした自動での試薬残量登録を実施する場合には、試薬容器の残量のみならず有無も確認するため、試薬管理部２０４は、オペレータが選択した試薬容器が前記試薬容器設置部から取り出されたか否かを判定し、判定結果を前記試薬廃棄リストに表示することができる。
【００７８】
なお、オペレータの指示とは、試薬残量登録のみを行う直接的な指示のみならず分析スタートの際に実行される試薬残量登録などの間接的な指示も含まれる。
【００７９】
図１２は、タブレット端末のバーコード読取りカメラ画面である。
【００８０】
タブレット端末６０２に装備されているバーコード読取りカメラ機能により、試薬容器１０７に貼られたバーコードを読み込もうとしている状態の画面である。
【００８１】
本機能は、前述したタブレット端末６０２の試薬準備リスト画面３０１，４０１および試薬廃棄画面５０１の印ボタン３０９，４０９，５０９をタップすることによる印付け以外にも、自動で準備／廃棄する試薬に印付けができるようにするための機能である。本機能は、試薬準備リスト画面３０１，４０１と試薬廃棄画面５０１のどちらから起動したかにより準備する試薬なのか廃棄する試薬なのかの判断を行い、バーコード読取りカメラ画面１２０１で読み取った試薬のバーコード情報を自動分析装置６０１に送信し、試薬管理部２０４がその情報を解析してどの試薬容器１０７の情報かをタブレット端末６０２に送信することで実現できる。自動化により、画面タップによる印付けと比べて、印を付ける試薬を間違えて誤った試薬を準備したり、誤った試薬を廃棄したりするリスクを低減できる。
【００８２】
このように、試薬容器に付されたバーコードを読取り可能なバーコード読取りカメラを備えたタブレット端末である場合には、端末試薬管理部２１０は、前記バーコード読取りカメラで読み取った試薬容器に付されたバーコード情報に基づき、オペレータが選択した試薬容器と判定し、当該判定結果に基づき、オペレータが選択した試薬容器であることを視覚的に識別できるよう試薬準備リスト又は試薬廃棄リストの表示を更新することができる。
【００８３】
図１３は、前述の試薬バーコード読取りの際に該当試薬が複数あった場合に表示されるタブレット端末の試薬選択画面である。
【００８４】
バーコード読取りカメラ画面１２０１で読み取った試薬のバーコード情報を自動分析装置６０１の試薬管理部２０４が解析した際、該当する試薬容器１０７が複数あった場合、その情報をタブレット端末６０２が受信して表示する。
【００８５】
メッセージ表示部１３０２には、例えば、準備する試薬の場合、「該当する試薬が複数存在します。準備する試薬を選択してください。」と表示して、オペレータ１０１に試薬の選択を促す。
【００８６】
モジュール表示部１３０３、項目名表示部１３０４、ポジション表示部１３０５、残テスト／残量表示部１３０６、レベル表示部１３０７には、それぞれ該当する試薬容器１０７の情報が全数表示され、オペレータ１０１が選択する試薬容器１０７の印ボタン１３０８をタップすることにより、試薬容器１０７が選択される。選択されていない状態の印ボタンの表示例が印ボタン１３０９であり、初期表示は全ての印ボタンが印ボタン１３０９で表示される。選択されている状態の印ボタンの表示例が印ボタン１３１０であり、既に印ボタン１３１０の表示となっている試薬容器１０７がある状態で別の試薬容器１０７の印ボタン１３０９をタップした場合、タップした試薬容器１０７の印ボタンが印ボタン１３１０の表示となり、それまで印ボタン１３１０の表示となっていた試薬容器１０７の印ボタンが印ボタン１３０９の表示となる。この後、試薬選択画面１３０１を閉じると、試薬準備リスト画面３０１，４０１、もしくは試薬廃棄画面５０１において、選択した試薬容器１０７の印ボタン３０９，４０９，５０９が印有りの印ボタン３１１，４１１，５１１で表示される。
【００８７】
図１４は、前述の試薬バーコード読取りの際に該当試薬が無かった場合に表示されるタブレット端末の注意画面である。
【００８８】
バーコード読取りカメラ画面１２０１で読み取った試薬のバーコード情報を自動分析装置６０１の試薬管理部２０４が解析した際、該当する試薬容器１０７が無かった場合、その情報をタブレット端末６０２が受信して表示する。
【００８９】
メッセージ表示部１４０２には、例えば、準備する試薬の場合、「該当する試薬が試薬準備リストに存在しません。準備する試薬が正しいか確認してください。」と表示して、オペレータ１０１に試薬の確認を促す。
【００９０】
なお、本実施形態においては、試薬ディスクの例で説明したが、ディスクタイプの試薬容器設置部でなくとも良くＸ−Ｙ方向にマトリクス状に設置するタイプの試薬容器設置部においても上記画面表示を適用できる。つまり、複数の試薬容器を設置する試薬容器設置部が存在すれば良い。
【００９１】
また、本実施形態においては、タブレット端末の例で説明したが、必ずしもタブレット端末でなくとも自動分析装置に付属する表示部にも適用できる。この場合には、必ずしも必須ではないがタッチパネル式の表示部であることが望ましい。操作性に優れているためである。自動分析装置に付属する表示部に適用する場合には、図２においてタブレット端末は必要なく操作部ＰＣの表示部との間で情報の遣り取りをすれば良い。つまり、これまで説明した端末試薬管理部２１０を単に試薬管理部２０４に読み替えて考えればよい。
【００９２】
また、複数の自動分析装置を備えた自動分析システムとして検査室に設置されることがある。この場合には、タブレット端末は、夫々の自動分析装置とローカルネットワークで接続される。このため、タブレット端末は、夫々の自動分析装置に対応する試薬準備リストや試薬廃棄リストを表示することができる。
【００９３】
また、上記自動分析システムの場合には、タブレット端末は、試薬準備リストや試薬廃棄リストの表示単位を、分析モジュール単位、自動分析装置単位、自動分析システム単位で切り替えられることが望ましい。なお、自動分析装置１台につき分析モジュールが１台の場合には、自動分析装置単位と自動分析システム単位との切り替えになるため、分析モジュール単位での切り替えが意味を成すためには、自動分析システムを構成する複数の自動分析装置のうちのいずれかの自動分析装置は複数の分析モジュールを含むことが前提となる。
【００９４】
また、自動分析システムの場合には、複数の自動分析装置の試薬容器設置部に設置された同一種類の試薬においては合計の試薬残量を試薬準備リストに表示し、注意喚起情報は合計の試薬残量の程度に応じて注意喚起レベルを示す情報とすることもできる。これにより検査室内の自動分析装置に設置されている試薬残量全体を把握できる。なお、この場合の試薬残量リストは例えば分析項目単位で並べてポジション欄に複数の試薬容器のポジションを表示する等、図３等で表示した異なる表示形態とすることが望ましい。また、記憶部は、注意喚起レベルを示すための合計の試薬残量に閾値を記憶し、タブレット端末は、当該閾値に基づき、注意喚起レベルを試薬準備リストに示し、注意喚起レベルの同一の注意喚起レベルに対し曜日毎に当該閾値が設定できることが望ましい。例えば、「準備」のレベル表示に対して水曜日と木曜日とで異なる閾値とすることができる。検査室等において曜日によって検査の運用形態が異なり異なる準備基準であることが考えられるためである。
【００９５】
また、自動分析装置を統括する上位ホスト等の分析部を有さない表示部に対しても同様の表示や操作を行うことができるため、試薬準備リストや試薬廃棄リストなどの試薬リストを上位ホスト等の表示部に表示させ、この表示部を介して、オペレータからの試薬容器の選択を受け付け、表示部は、前記試薬リストが表示された状態でオペレータが選択した試薬容器であることを視覚的に識別できるよう試薬リストの表示を更新する表示方法としても良い。なお、試薬情報は自動分析装置の記憶部に記憶されているためこの表示部は、自動分析装置の記憶部に記憶された試薬情報に基づき、試薬容器の設置位置毎にオペレータに注意喚起を促す注意喚起情報を付した試薬リストを表示することができる。但し、実施形態のように、上位ホスト等の表示部ではなく、タッチパネル式のタブレット端末であって、オペレータのタップにより試薬容器の選択を受け付け、タブレット端末は、タップされた試薬容器であることを視覚的に識別できるよう試薬リスト上に印を付けて表示する表示方法とすることが操作性の面からより有益である。
【符号の説明】
【００９６】
１００  自動分析装置
１０１  オペレータ
１０２  試料容器
１０３  試料ラック
１０４  試料投入部
１０５  搬送ライン
１０６ａ，１０６ｂ，１０６ｃ  分析部
１０７  試薬容器
１０８ａ，１０８ｂ，１０８ｃ  試薬ディスク
１０９  試料収納部
１１０  通信機器
１１２  上位ホストシステム
１１３  無線機器
１１４  タブレット端末
１２０ａ，１２０ｂ，１２０ｃ  反応ディスク
１２１ａ，１２１ｂ，１２１ｃ  試料分注機構
１２２ａ，１２２ｂ，１２２ｃ  試薬分注機構
１２３ａ，１２３ｂ，１２３ｃ  測光機構
２００  分析部
２０１  入力部
２０２  表示部
２０３  通信
２０４  試薬管理部
２０５  対端末通信部
２０６  記憶部
２０７  対分析部通信部
２０８  端末表示部
２０９  端末通信部
２１０  端末試薬管理部
２１１  端末入力部
３０１  試薬準備リスト画面
３０２  更新ボタン
３０３  更新日時表示部
３０４  モジュール表示部
３０５  項目名表示部
３０６  ポジション表示部
３０７  残テスト／残量表示部
３０８  レベル表示部
３０９  印ボタン表示部
３１０  印ボタン（印無し）
３１１  印ボタン（印有り）
４０１  試薬準備リスト画面
４０２  更新ボタン
４０３  更新日時表示部
４０４  モジュール表示部
４０５  項目名表示部
４０６  ポジション表示部
４０７  残テスト／残量表示部
４０８  レベル表示部
４０９  印ボタン表示部
４１０  印ボタン（印無し）
４１１  印ボタン（印有り）
５０１  試薬廃棄リスト画面
５０２  更新ボタン
５０３  更新日時表示部
５０４  モジュール表示部
５０５  項目名表示部
５０６  ポジション表示部
５０７  残テスト／残量表示部
５０８  要因表示部
５０９  印ボタン表示部
５１０  印ボタン（印無し）
５１１  印ボタン（印有り）
６０１  自動分析装置
６０２  タブレット端末
９０１  試薬準備リスト画面
９０２  更新ボタン
９０３  更新日時表示部
９０４  モジュール表示部
９０５  項目名表示部
９０６  ポジション表示部
９０７  残テスト／残量表示部
９０８  レベル表示部
９０９  印ボタン表示部
９１０  印ボタン（印無し）
９１１  印ボタン（印有り）
１００１  試薬準備リスト画面
１００２  更新ボタン
１００３  更新日時表示部
１００４  モジュール表示部
１００５  項目名表示部
１００６  ポジション表示部
１００７  残テスト／残量表示部
１００８  レベル表示部
１００９  印ボタン表示部
１０１０  印ボタン（印無し）
１０１１  印ボタン（印有り）
１１０１  試薬廃棄リスト画面
１１０２  更新ボタン
１１０３  更新日時表示部
１１０４  モジュール表示部
１１０５  項目名表示部
１１０６  ポジション表示部
１１０７  残テスト／残量表示部
１１０８  要因表示部
１１０９  印ボタン表示部
１１１０  印ボタン（印無し）
１１１１  印ボタン（印有り）
１２０１  バーコード読取りカメラ画面
１３０１  試薬選択画面
１３０２  メッセージ表示部
１３０３  モジュール表示部
１３０４  項目名表示部
１３０５  ポジション表示部
１３０６  残テスト／残量表示部
１３０７  レベル表示部
１３０８  印ボタン表示部
１３０９  印ボタン（印無し）
１３１０  印ボタン（印有り）
１４０１  注意画面
１４０２  メッセージ表示部
【図１】
2018051672.tif 000003
【図２】
2018051672.tif 000004
【図３】
2018051672.tif 000005
【図４】
2018051672.tif 000006
【図５】
2018051672.tif 000007
【図６】
2018051672.tif 000008
【図７】
2018051672.tif 000009
【図８】
2018051672.tif 000010
【図９】
2018051672.tif 000011
【図１０】
2018051672.tif 000012
【図１１】
2018051672.tif 000013
【図１２】
2018051672.tif 000014
【図１３】
2018051672.tif 000015
【図１４】
2018051672.tif 000016
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
複数の試薬容器を設置する試薬容器設置部と、
前記試薬容器設置部に設置された試薬容器から試薬を吸引する試薬分注機構と、
前記試薬容器設置部に設置された試薬容器の試薬に関する情報の管理を行う試薬管理部と、
前記試薬容器設置部に設置された試薬容器の試薬残量又は試薬有効期限に関する試薬情報を記憶する記憶部と、
前記記憶部に記憶された前記試薬情報に基づき、試薬容器の設置位置毎にオペレータに注意喚起を促す注意喚起情報を付した試薬リストを表示する表示部と、を備え、
前記試薬管理部は、前記試薬リストが表示された状態でオペレータが選択した試薬容器であることを視覚的に識別できるよう前記試薬リストの表示を更新し、
前記表示部は、タッチパネル式の表示部であって、
前記試薬管理部は、前記表示部に表示された前記試薬リストをオペレータがタップしたときに、オペレータが選択した試薬容器と判定し、当該試薬容器を視覚的に識別できるよう前記試薬リストの表示を更新し、
前記試薬リストには試薬容器の設置位置毎に印ボタンが含まれ、
前記試薬管理部は、オペレータによる印ボタンのタップを検知することにより印有りの印ボタンと印無しの印ボタンの表示を切り替え、
前記印有りのボタンと前記印無しのボタンの表示の切り替えにより、オペレータが選択した試薬容器であることを視覚的に識別可能であり、
前記タッチパネル式の表示部は、タブレット端末であり、
前記試薬情報は、前記試薬残量に関する情報であって、
前記試薬リストは、前記記憶部に記憶された前記試薬残量に関する情報に基づき、所定閾値以下の試薬残量の試薬容器の一覧を示す試薬準備リストであって、
前記注意喚起情報は前記試薬残量の程度に応じて注意喚起レベルを示す情報であり、
前記試薬管理部は、前記試薬分注機構を制御し、
前記試薬管理部は、オペレータの指示に基づき、前記試薬容器設置部に設置された試薬容器に対し、前記試薬分注機構を用い自動で残量確認動作を実施し、
前記試薬管理部は、オペレータが選択した試薬容器に対し、当該試薬容器に対応する分析項目と同一種類の試薬について試薬残量が前記所定閾値以下かを判定し、判定結果を前記試薬準備リストに表示することを特徴とする自動分析装置。
【請求項２】
（削除）
【請求項３】
（削除）
【請求項４】
（削除）
【請求項５】
請求項１記載の自動分析装置において、
前記表示部は、試薬容器に付されたバーコードを読取り可能なバーコード読取りカメラを備えたタブレット端末であって、
前記タブレット端末に含まれる端末試薬管理部は、前記バーコード読取りカメラで読み取った試薬容器に付されたバーコード情報に基づき、オペレータが選択した試薬容器と判定し、当該判定結果に基づき、オペレータが選択した試薬容器であることを視覚的に識別できるよう前記試薬リストの表示を更新することを特徴とする自動分析装置。
【請求項６】
（削除）
【請求項７】
（削除）
【請求項８】
請求項１記載の自動分析装置を複数備えた自動分析システムにおいて、
前記表示部は夫々の自動分析装置とローカルネットワークで接続されたタブレット端末であって、
前記タブレット端末は、夫々の自動分析装置に対応する前記試薬準備リストを表示することを特徴とする自動分析システム。
【請求項９】
請求項８記載の自動分析システムにおいて、
複数の自動分析装置のうちのいずれかの自動分析装置は複数の分析モジュールを含み、
前記タブレット端末は、前記試薬準備リストの表示単位を、分析モジュール単位、自動分析装置単位、自動分析システム単位で切り替えられることを特徴とする自動分析システム。
【請求項１０】
請求項８記載の自動分析システムにおいて、
前記タブレット端末は、複数の自動分析装置の試薬容器設置部に設置された同一種類の試薬においては合計の試薬残量を前記試薬準備リストに表示し、前記注意喚起情報は前記合計の試薬残量の程度に応じて注意喚起レベルを示す情報であることを特徴とする自動分析システム。
【請求項１１】
請求項１０記載の自動分析システムにおいて、
前記記憶部は、前記注意喚起レベルを示すための前記合計の試薬残量に閾値を記憶し、
前記タブレット端末は、当該閾値に基づき、前記注意喚起レベルを前記試薬準備リストに示し、
前記注意喚起レベルの同一の注意喚起レベルに対し曜日毎に当該閾値が設定できることを特徴とする自動分析システム。
【請求項１２】
複数の試薬容器を設置する試薬容器設置部と、
前記試薬容器設置部に設置された試薬容器から試薬を吸引する試薬分注機構と、
前記試薬容器設置部に設置された試薬容器の試薬に関する情報の管理を行う試薬管理部と、
前記試薬容器設置部に設置された試薬容器の試薬残量および試薬有効期限に関する試薬情報を記憶する記憶部と、
前記記憶部に記憶された前記試薬情報に基づき、試薬容器の設置位置毎にオペレータに注意喚起を促す注意喚起情報を付した試薬リストを表示する表示部と、を備え、
前記試薬管理部は、前記試薬リストが表示された状態でオペレータが選択した試薬容器であることを視覚的に識別できるよう前記試薬リストの表示を更新し、
前記表示部は、タッチパネル式の表示部であって、
前記試薬管理部は、前記表示部に表示された前記試薬リストをオペレータがタップしたときに、オペレータが選択した試薬容器と判定し、当該試薬容器を視覚的に識別できるよう前記試薬リストの表示を更新し、
前記試薬リストには試薬容器の設置位置毎に印ボタンが含まれ、
前記試薬管理部は、オペレータによる印ボタンのタップを検知することにより印有りの印ボタンと印無しの印ボタンの表示を切り替え、
前記印有りのボタンと前記印無しのボタンの表示の切り替えにより、オペレータが選択した試薬容器であることを視覚的に識別可能であり、
前記タッチパネル式の表示部は、タブレット端末であり、
前記試薬リストは、前記記憶部に記憶された前記試薬残量と前記試薬有効期限に関する情報に基づき、試薬残量がゼロと有効期限が切れた試薬の試薬容器の一覧を示す試薬廃棄リストであって、
前記注意喚起情報は、試薬残量がゼロであるか、試薬の有効期限切れを示すいずれかの情報であり、
前記試薬管理部は、オペレータの指示に基づきオペレータが選択した試薬容器が前記試薬容器設置部から取り出されたか否かを判定し、
判定結果を前記試薬廃棄リストに表示することを特徴とする自動分析装置。
【請求項１３】
（削除）
【請求項１４】
請求項１２記載の自動分析装置を複数備えた自動分析システムにおいて、
前記表示部は夫々の自動分析装置とローカルネットワークで接続されたタブレット端末であって、
前記タブレット端末は、夫々の自動分析装置に対応する前記試薬廃棄リストを表示することを特徴とする自動分析システム。
【請求項１５】
請求項１４記載の自動分析システムにおいて、
複数の自動分析装置のうちのいずれかの自動分析装置は複数の分析モジュールを含み、
前記タブレット端末は、前記試薬廃棄リストの表示単位を、分析モジュール単位、自動分析装置単位、自動分析システム単位で切り替えられることを特徴とする自動分析システム。
【請求項１６】
（削除）
【請求項１７】
（削除）
【請求項１８】
複数の試薬容器を設置する試薬容器設置部と、
前記試薬容器設置部に設置された試薬容器から試薬を吸引する試薬分注機構と、
前記試薬容器設置部に設置された試薬容器の試薬に関する情報の管理を行う試薬管理部と、
前記試薬容器設置部に設置された試薬容器の試薬残量および試薬有効期限に関する試薬情報を記憶する記憶部と、
前記記憶部に記憶された前記試薬情報に基づき、試薬容器の設置位置毎にオペレータに注意喚起を促す注意喚起情報を付した試薬リストを表示する表示部と、を備え、
前記試薬管理部は、前記試薬リストが表示された状態でオペレータが選択した試薬容器であることを視覚的に識別できるよう前記試薬リストの表示を更新し、
前記表示部は、タッチパネル式の表示部であって、
前記試薬管理部は、前記表示部に表示された前記試薬リストをオペレータがタップしたときに、オペレータが選択した試薬容器と判定し、当該試薬容器を視覚的に識別できるよう前記試薬リストの表示を更新し、
前記試薬リストには試薬容器の設置位置毎に印ボタンが含まれ、
前記試薬管理部は、オペレータによる印ボタンのタップを検知することにより印有りの印ボタンと印無しの印ボタンの表示を切り替え、
前記印有りのボタンと前記印無しのボタンの表示の切り替えにより、オペレータが選択した試薬容器であることを視覚的に識別可能であり、
前記試薬リストは、
前記記憶部に記憶された前記試薬残量に関する情報に基づき、所定閾値以下の試薬残量の試薬容器の一覧を示す試薬準備リストであって、前記注意喚起情報は、前記試薬残量の程度に応じて注意喚起レベルを示す情報であるか、
または、前記記憶部に記憶された前記試薬残量と前記試薬有効期限に関する情報に基づき、試薬残量がゼロと有効期限が切れた試薬の試薬容器の一覧を示す試薬廃棄リストであって、前記注意喚起情報は、試薬残量がゼロであるか、試薬の有効期限切れを示すいずれかの情報であることを特徴とする自動分析装置を複数備えた自動分析システムにおいて、
前記表示部は夫々の自動分析装置とローカルネットワークで接続されたタブレット端末であって、
前記タブレット端末は、夫々の自動分析装置に対応する前記試薬リストを表示し、
複数の自動分析装置のうちのいずれかの自動分析装置は複数の分析モジュールを含み、
前記タブレット端末は、前記試薬リストの表示単位を、分析モジュール単位、自動分析装置単位、自動分析システム単位で切り替えられることを特徴とする自動分析システム。
【請求項１９】
請求項１８記載の自動分析システムにおいて、
前記タブレット端末は、複数の自動分析装置の試薬容器設置部に設置された同一種類の試薬においては合計の試薬残量を前記試薬準備リストに表示し、前記注意喚起情報は前記合計の試薬残量の程度に応じて注意喚起レベルを示す情報であることを特徴とする自動分析システム。
【国際調査報告】
2018051672.tif 000017
2018051672.tif 000018
2018051672.tif 000019
2018051672.tif 000020